【事件の表示】
　特願２０１５−１１７００３「移動端末の無線充電のための方法」拒絶査定不服審判事件〔平成２７年１０月２９日出願公開、特開２０１５−１８８２５５〕について、次のとおり審決する。
【結　論】
　本件審判の請求は、成り立たない。
【理　由】
 第１　手続の経緯
　本願は、２００９年（平成２１年）７月２３日（パリ条約による優先権主張外国庁受理　２００８年８月４日　大韓民国、２００８年９月４日　大韓民国）を国際出願日として出願した特願２０１１―５２１９９５号の一部を、平成２７年６月９日に新たな特許出願としたものであって、平成２８年２月４日に手続補正書が提出され、同年５月１３日付けで拒絶理由が通知され、同年８月２３日に意見書及び手続補正書が提出され、同年１２月２８日付けで拒絶査定されたところ、平成２９年５月１０日に拒絶査定不服審判の請求がなされると同時に手続補正書が提出されたものである。その後当審において平成３０年７月２日付けで拒絶理由が通知され、同年１２月１０日に意見書及び手続補正書が提出されたものである。
第２　本願発明
　平成３０年１２月１０日になされた手続補正により補正された特許請求の範囲の請求項１には、以下の事項が記載されている（［当審注］：下線部は補正箇所を示す。）。
「【請求項１】
　移動通信システムにおける端末の信号伝送方法であって、
　任意のＨＡＲＱプロセスに対する最初の伝送が指示されると、最後の再伝送可能時点を算出し、前記最後の再伝送可能時点が経過すると、ＨＡＲＱバッファーに保存されているデータを廃棄する段階と、
　新規データ指示子（ＮＤＩ）を含むアップリンク伝送資源割り当てメッセージを基地局から受信する段階と、
　
前記アップリンク伝送資源割り当てメッセージによる
空いている場合において、
が０の場合であったとしても、前記ＮＤＩと無関係に新規の伝送を実行し、
アップリンク伝送資源割り当てメッセージによる
を含むことを特徴とする信号伝送方法。」
（以下、「本願発明」という。）
第３　当審拒絶理由の概要
　当審が平成３０年７月２日付けで通知した拒絶理由（以下、「当審拒絶理由」という。）の概要は、以下のとおりである。
「１．（サポート要件）本件出願は、特許請求の範囲の記載が下記の点で、特許法第３６条第６項第１号に規定する要件を満たしていない。 
２．（明確性要件）本件出願は、特許請求の範囲の記載が下記の点で、特許法第３６条第６項第２号に規定する要件を満たしていない。 
 　　　　　　　　　　　　　　　　記 
理由１、理由２について 
（１）請求項１の「ＨＡＲＱプロセスのＨＡＲＱバッファーが空いていれば、ＮＤＩと無関係にＲＶ（Ｒｅｄｕｎｄａｎｃｙ　Ｖｅｒｓｉｏｎ）を０に設定して、新規伝送を実行する段階」との記載に関連して、発明の詳細な説明には、次の記載がある。
（途中、省略）
　上記ア及びイの記載によれば、ＲＶを設定する主体は、基地局と考えられるが、請求項１にいう「ＲＶ（Ｒｅｄｕｎｄａｎｃｙ　Ｖｅｒｓｉｏｎ）を０に設定して、」が何を意味するのかが不明確である。（明確性要件）
　また、発明の詳細な説明には、「端末」が主体となって「ＲＶ（Ｒｅｄｕｎｄａｎｃｙ　Ｖｅｒｓｉｏｎ）を０に設定」することは、記載も示唆もされていない。（サポート要件）
　また、同段落【００２５】、段落【００２８】〜段落【００２９】、段落【００３１】、段落【００３４】の記載によれば、発明の詳細な説明に発明として記載されたものは、ＨＡＲＱプロセスの最後の再伝送可能時点が経過して、ＨＡＲＱバッファーに保存されているＭＡＣ ＰＤＵが廃棄された後に初めて、ＨＡＲＱプロセスに対する逆方向伝送資源割り当てメッセージを受信した場合に、上記メッセージのＮＤＩが指示する値と関係なく、上記逆方向伝送資源割り当てメッセージが新しいＭＡＣ ＰＤＵ伝送を指示するものと判断する。そして、ＲＶが０か否かで、逆方向伝送資源割り当てメッセージが、新しいＭＡＣ ＰＤＵの最初伝送用を意味するのか、適応的再伝送用を意味するのかを判断するといえ、これにより、新しいＭＡＣ ＰＤＵの最初伝送のための逆方向伝送資源割り当てメッセージを遺失したと判断される場合は、上記受信した逆方向伝送資源割り当てメッセージを無視している。
　しかし、請求項１に係る発明では、ＲＶが０か否かに関わらず、新規伝送を実行しているから、発明の課題を解決するための手段が反映されているとはいえない。また、請求項１に係る発明では、ＨＡＲＱプロセスの最後の再伝送可能時点が経過して、ＨＡＲＱバッファーに保存されているＭＡＣ ＰＤＵが廃棄された場合に限らず、単に「ＨＡＲＱプロセスのＨＡＲＱバッファーが空いていれば」、新規伝送を実行するものといえるから、この点においても、上述のような発明の課題を解決するための手段が反映されているとはいえないから、発明の詳細な説明に記載した範囲を超えて特許を請求するものといえる。（サポート要件）
（以下、省略）」
第４　本願の発明の詳細な説明の記載
　本願の発明の詳細な説明には、以下の記載がある（［当審注］：下線部は、当審において付与。）。
「【００１２】
　表１は、３ＧＰＰ標準文書３６．２１３Ｖ　８．６０に開示されたもので、変調／チャネルコーディングフィールド３１０に収納されるＭＣＳレベルによる伝送ブロックサイズ（ＴＢＳ）インデックスとＲＶの関係を開示している。表１を参照すれば、
ＭＣＳレベルが０〜２８の場合、ＲＶが０であり、各々に対応する伝送ブロックサイズ（ＴＢＳ）インデックスが存在する。また、ＭＣＳレベルが２９〜３１の場合、ＲＶは、各々１〜３であり、対応する伝送ブロックサイズ（ＴＢＳ）インデックスは存在しない
　【００１３】
　
ＮＤＩ（Ｎｅｗ　Ｄａｔａ　Ｉｎｄｉｃａｔｏｒ）３１５は、当該伝送資源割り当てメッセージが新しい伝送に関するものであるか、再伝送に関するものであるかを指示する１ビット情報である
　【００１４】
　逆方向ＨＡＲＱ動作、逆方向伝送資源割り当てメッセージとＮＤＩの用例を図４に示した。
　【００１５】
　図４は、逆方向伝送資源割り当てメッセージとＮＤＩの用例を示す図である。
　図４を参照すれば、
任意の時点に端末が逆方向伝送資源割り当てメッセージを受信すれば（４０５）、端末は、所定のＴ　４１０が経過した後、上記逆方向伝送資源割り当てメッセージが指示する伝送資源４１５とＭＣＳレベルを利用してＭＡＣ ＰＤＵを伝送する
任意の時点に上記ＭＡＣ ＰＤＵ　Ａの伝送が完了し、その後、任意の時点に上記端末に新しい逆方向伝送資源割り当てメッセージが伝送される（４３０）。上記伝送資源割り当てメッセージのＮＤＩは、以前の伝送資源割り当てメッセージのＮＤＩと異なる値が指示され、端末は、ＮＤＩが変わったことを見て、上記時点に受信した逆方向伝送資源割り当てメッセージが新しいＭＡＣ ＰＤＵ伝送のための伝送資源割り当てメッセージであることを認知する
　【００１６】
　伝送資源の効率的な利用のために、基地局は、現在進行中のＭＡＣ ＰＤＵ伝送を他の伝送資源に移動させることができる。これを適応的再伝送（ａｄａｐｔｉｖｅ　ｒｅｔｒａｎｓｍｉｓｓｉｏｎ）といい、基地局は、端末にＮＤＩが同一の逆方向伝送資源割り当てメッセージを伝送することによって、端末に適応的再伝送を指示する。例えば、４３０以後の任意の時点にＭＡＣ ＰＤＵ　Ｂ伝送のための伝送資源を他のＲＢに移動させようとすれば、上記移動しようとする新しい伝送資源情報が収納され、上記ＭＡＣ ＰＤＵ　Ｂ伝送を命令した以前の逆方向伝送資源割り当てメッセージのＮＤＩと同一のＮＤＩであるＮＤＩ １が収納された逆方向伝送資源割り当てメッセージ４４３を端末に伝送する。端末は、以前のＮＤＩと同一のＮＤＩが指示された逆方向伝送資源割り当てメッセージを受信すれば、適応的再伝送が命令されたものと判断し、上記新しく割り当てられた伝送資源を利用してＭＡＣ ＰＤＵ　Ｂの再伝送を行う（４４５、４５０）。
　
このようにＮＤＩを利用して当該逆方向伝送資源割り当てメッセージが既存のＭＡＣ ＰＤＵの再伝送用であるか、新しいＭＡＣ ＰＤＵ伝送用であるかを判断することは、端末がすべての逆方向伝送資源割り当てメッセージを成功的に受信するという前題の下に動作する
　図５は、
従来技術の問題点
　図５を参照すれば、任意の時点にＮＤＩが０に設定された逆方向伝送資源割り当てメッセージを端末が受信し（５０５）、図４で説明したように、端末は、上記逆方向伝送資源割り当てメッセージが指示する伝送資源５１５とＭＣＳレベルを利用してＭＡＣ ＰＤＵを伝送し、所定のＨＡＲＱ ＲＴＴごとに上記割り当てられた伝送資源を利用してＭＡＣＰＤＵを再伝送する（５２０）。
ＭＡＣ ＰＤＵの伝送を完了した後、端末は、任意の時点に新しいＭＡＣ ＰＤＵ伝送を命令する、すなわちＮＤＩが１に変更された伝送資源割り当てメッセージを遺失し（５２５）、その後、任意の時点に他の新しいＭＡＣ ＰＤＵ伝送を命令する伝送資源割り当てメッセージ、すなわちＮＤＩが０に変更されたメッセージ５３０を受信する場合があり得る。この場合、メッセージ５３０のＮＤＩが最も最近に受信した逆方向伝送資源割り当てメッセージ５０５のＮＤＩと同一なので、端末は、上記逆方向伝送資源割り当てメッセージを適応的再伝送のためのメッセージとして誤認する
「【００２８】
　以前の逆方向伝送資源割り当てメッセージと同一のＮＤＩを収納したが、新しいパケット伝送を指示する逆方向伝送資源割り当てメッセージは、通常、以前のパケットの伝送が完了した後に発生する。上記事項に着目した本発明において、
端末は、任意のＨＡＲＱプロセスに対する最初伝送が指示されれば、最後の再伝送可能時点を算出し、上記最後の再伝送可能時点が経過すれば、ＭＡＣ ＰＤＵ伝送が成功しなかったとしても、当該ＨＡＲＱバッファーに保存されているデータを廃棄する
任意のＨＡＲＱプロセスに対する逆方向伝送資源割り当てメッセージを受信した場合、当該ＨＡＲＱプロセスのバッファーにデータがなければ、すなわち上記逆方向伝送資源割り当てメッセージが上記ＨＡＲＱバッファーに保存されているデータが廃棄された後に初めて受信した逆方向伝送資源割り当てメッセージであれば、上記メッセージのＮＤＩが指示する値と関係なく、上記逆方向伝送資源割り当てメッセージを新しいＭＡＣ ＰＤＵ伝送を指示するものと判断する
　【００２９】
　図６は、
本発明の一実施例による全体システムの動作
　図６を参照すれば、任意の時点に端末が新しいパケット伝送を指示する任意のＨＡＲＱプロセスＸに対する逆方向伝送資源割り当てメッセージ６０５を受信すれば、端末は、所定のＴが経過した後、上記逆方向伝送資源割り当てメッセージが指示する伝送資源を使用してＨＡＲＱプロセスＸを通じてＭＡＣ ＰＤＵを伝送する（６１０）。端末は、上記伝送に対するフィードバック信号がＮＡＣＫ６２５なら、以前の伝送からＨＡＲＱ ＲＴＴだけ経過した時点に同一の伝送資源を使用してＭＡＣ ＰＤＵを再伝送する（６１５、６２０）。
端末は、上記のような再伝送動作を最大伝送回数まで進行することができる。任意の時点にＭＡＣ ＰＤＵ伝送に対するＨＡＲＱ　ＡＣＫ６３５を受信すれば、端末は、再伝送を中止する。また、最後の再伝送時点６４５が経過すれば、ＨＡＲＱプロセスＸに保存されている上記ＭＡＣ ＰＤＵを廃棄する（６４０）。その後、任意の時点に上記端末に新しいＭＡＣ ＰＤＵ伝送を指示するＨＡＲＱプロセスＸに対する逆方向伝送資源割り当てメッセージ６５０が伝送されたが、端末がこれを受信しなかったと仮定すれば、端末が逆方向にデータを伝送しないので、基地局は、所定の再伝送時点ごとにノイズをデコーディングする過程を繰り返し、最後の再伝送時点が経過すれば、ＭＡＣ ＰＤＵ伝送が失敗し、当該ＨＡＲＱ過程が完了したものと判断する。その後、任意の時点に基地局は、上記端末に新しいＭＡＣ ＰＤＵの伝送を指示するプロセスに対する逆方向伝送資源割り当てメッセージ６５５を伝送し、端末は、上記メッセージを正しく受信する時、上記メッセージのＮＤＩは、０であって、端末が直前に受信した逆方向伝送資源割り当てメッセージのＮＤＩと同一なので、端末がＮＤＩだけを参照する場合、上記逆方向伝送資源割り当てメッセージを再伝送用伝送資源割り当てメッセージとして誤認する。本発明において端末は、任意のプロセスに対する逆方向伝送資源割り当てメッセージを受信すれば、まず、上記プロセスのＨＡＲＱバッファーにデータが保存されているかを検査する
上記バッファーにデータが保存されていなければ、ＮＤＩ値と関係なく、新しいＭＡＣ ＰＤＵ伝送を指示するものと判断する
　【００３０】
　図７は、
本発明の一実施例による端末動作
　
図７を参照すれば、段階７０５で、任意のＨＡＲＱプロセスに対する逆方向伝送資源割り当てメッセージを受信すれば、端末は、段階７１０に進行し、上記プロセスのＨＡＲＱバッファー状態を検査する。上記ＨＡＲＱバッファーが空いていたら、端末は、上記逆方向伝送資源割り当てメッセージを新しいＭＡＣ ＰＤＵの伝送を指示する逆方向伝送資源割り当てメッセージとして判断し、段階７１５に分岐する
　【００３１】
　
段階７１５に進行したということは、割り当てられた伝送資源を利用して端末が新しいＭＡＣ ＰＤＵを伝送しなければならないことを意味する。端末は、段階７１５でＲＶを検査する。ＲＶが０なら、上記逆方向伝送資源割り当てメッセージが、新しいＭＡＣ ＰＤＵの適応的再伝送ではなく、最初伝送用であることを意味し、端末は、段階７２５に分岐する。ＲＶが０ではなく、他の値なら、上記逆方向伝送資源割り当てメッセージは、新しいＭＡＣ ＰＤＵの適応的再伝送用であることを意味し、端末は、段階７２０に分岐する
　【００３２】
　図８は、ＲＶ伝送例を示す図である。
　図９は、適応的再伝送とＲＶの用例を示す図である。
　図８及び図９を参照すれば、
ＲＶは、ＨＡＲＱ再伝送が原本データのどんな部分を収納しているかを指示する情報である
端末は、上記チャネルコーディングされたデータ８１０のうち指示されたＲＶに該当する部分を伝送し、再伝送は、上記ＲＶから所定の順序によって行う。ＲＶの順序は、ＲＶ０、ＲＶ２、ＲＶ３、ＲＶ１であり、通常、端末は、ＲＶ０から始まり、上記順序を循環しながら再伝送を行う
一般的に最初伝送は、ＲＶ０　８１５から始まり、その後、伝送が進行されるほどＲＶ２　８２５、ＲＶ３　８３０、ＲＶ１　８２０が順に伝送される。５番目の伝送で、ＲＶは、さらにＲＶ０に戻る循環的な性格を有する。適応的再伝送が行われる場合、適応的再伝送を指示する逆方向伝送資源割り当てメッセージでＲＶが指定されることもできる
受信した逆方向伝送資源割り当てメッセージのＲＶが０であることは、上記逆方向伝送資源割り当てメッセージが適応的再伝送のための伝送資源割り当てメッセージではなく、最初伝送のための伝送資源割り当てメッセージであることを意味し、端末は、段階７２５に進行し、上記逆方向伝送資源割り当てメッセージに収納された情報によって新しいＭＡＣ ＰＤＵを構成し、チャネルコーディングしてＨＡＲＱバッファーに保存し、指示されたＲＶに該当する部分、例えばＲＶ０に該当する部分を伝送する
「【００３４】
　
図７に戻って、段階７１５でＲＶが０ではない場合、上記逆方向伝送資源割り当てメッセージは、新しいＭＡＣ ＰＤＵの適応的再伝送用であり、端末が過去任意の時点に新しいＭＡＣ ＰＤＵの最初伝送のための逆方向伝送資源割り当てメッセージを遺失したことを意味する。前述したように、ＨＡＲＱ再伝送は、最大伝送回数によって制限される。ところが、端末が最初伝送のための逆方向伝送資源割り当てメッセージを遺失したということは、端末が上記適応的再伝送が何番目の伝送であるかを知らないことを意味する。端末が最後の再伝送可能時点を誤認する場合、自分の伝送資源ではない伝送資源にデータを伝送することによって、不要な干渉をもたらすことができるので、端末は、段階７２０に進行し、上記受信した逆方向伝送資源割り当てメッセージを無視し、データを伝送しない
　図７は、以下のとおりである。
第５　当審の判断
１　発明の詳細な説明に発明として記載されたものについて
　発明の詳細な説明には、次のことが記載されている。
（１）上記段落【００１３】〜【００１６】の記載によれば、従来技術の問題点として、次のことが記載されている。
ａ．ＮＤＩ（Ｎｅｗ　Ｄａｔａ　Ｉｎｄｉｃａｔｏｒ）３１５は、当該伝送資源割り当てメッセージが新しい伝送に関するものであるか、再伝送に関するものであるかを指示する１ビット情報である。
　ＮＤＩを利用して当該逆方向伝送資源割り当てメッセージが既存のＭＡＣ ＰＤＵの再伝送用であるか、新しいＭＡＣ ＰＤＵ伝送用であるかを判断することは、端末がすべての逆方向伝送資源割り当てメッセージを成功的に受信するという前題の下に動作する。
ｂ．ＭＡＣ ＰＤＵの伝送を完了した後、端末は、任意の時点に新しいＭＡＣ ＰＤＵ伝送を命令する、すなわちＮＤＩが１に変更された伝送資源割り当てメッセージを遺失し（５２５）、その後、任意の時点に他の新しいＭＡＣ ＰＤＵ伝送を命令する伝送資源割り当てメッセージ、すなわちＮＤＩが０に変更されたメッセージ５３０を受信する場合があり得る。この場合、メッセージ５３０のＮＤＩが最も最近に受信した逆方向伝送資源割り当てメッセージ５０５のＮＤＩと同一なので、端末は、上記逆方向伝送資源割り当てメッセージを適応的再伝送のためのメッセージとして誤認する。
（２）上記段落【００２８】及び段落【００２９】の記載によれば、本発明の一実施例に関して、次のことが記載されている。
ｃ．端末は、任意のＨＡＲＱプロセスに対する最初伝送が指示されれば、最後の再伝送可能時点を算出し、上記最後の再伝送可能時点が経過すれば、ＭＡＣ ＰＤＵ伝送が成功しなかったとしても、当該ＨＡＲＱバッファーに保存されているデータを廃棄する。端末は、再伝送動作を最大伝送回数まで進行することができる。最後の再伝送時点６４５が経過すれば、ＨＡＲＱプロセスＸに保存されている上記ＭＡＣ ＰＤＵを廃棄する（６４０）。
ｄ．端末は、任意のプロセスに対する逆方向伝送資源割り当てメッセージを受信すれば、まず、上記プロセスのＨＡＲＱバッファーにデータが保存されているかを検査する。上記バッファーにデータが保存されていたら、ＮＤＩを参照して新しいＭＡＣ ＰＤＵ伝送指示可否を判断し、上記バッファーにデータが保存されていなければ、ＮＤＩ値と関係なく、新しいＭＡＣ ＰＤＵ伝送を指示するものと判断する。
　また、上記段落【００１２】、【００３０】〜【００３２】及び【００３４】の記載によれば、本発明の一実施例に関して、さらに次のことが記載されている。
ｅ．ＭＣＳレベルが０〜２８の場合、ＲＶが０であり、ＭＣＳレベルが２９〜３１の場合、ＲＶは、各々１〜３である。ＲＶは、ＨＡＲＱ再伝送が原本データのどんな部分を収納しているかを指示する情報である。端末は、上記チャネルコーディングされたデータ８１０のうち指示されたＲＶに該当する部分を伝送し、再伝送は、上記ＲＶから所定の順序によって行う。一般的に最初伝送は、ＲＶ０　８１５から始まり、その後、伝送が進行されるほどＲＶ２　８２５、ＲＶ３　８３０、ＲＶ１　８２０が順に伝送される。
ｆ．段階７０５で、任意のＨＡＲＱプロセスに対する逆方向伝送資源割り当てメッセージを受信すれば、端末は、段階７１０に進行し、上記プロセスのＨＡＲＱバッファー状態を検査する。上記ＨＡＲＱバッファーが空いていたら、端末は、上記逆方向伝送資源割り当てメッセージを新しいＭＡＣ ＰＤＵの伝送を指示する逆方向伝送資源割り当てメッセージとして判断し、段階７１５に分岐する。端末は、段階７１５でＲＶを検査する。
ｇ．ＲＶが０ではない場合、上記逆方向伝送資源割り当てメッセージは、新しいＭＡＣ ＰＤＵの適応的再伝送用であり、端末が過去任意の時点に新しいＭＡＣ ＰＤＵの最初伝送のための逆方向伝送資源割り当てメッセージを遺失したことを意味する。前述したように、ＨＡＲＱ再伝送は、最大伝送回数によって制限される。ところが、端末が最初伝送のための逆方向伝送資源割り当てメッセージを遺失したということは、端末が上記適応的再伝送が何番目の伝送であるかを知らないことを意味する。端末が最後の再伝送可能時点を誤認する場合、自分の伝送資源ではない伝送資源にデータを伝送することによって、不要な干渉をもたらす。
ｈ．受信した逆方向伝送資源割り当てメッセージのＲＶが０であることは、上記逆方向伝送資源割り当てメッセージが適応的再伝送のための伝送資源割り当てメッセージではなく、最初伝送のための伝送資源割り当てメッセージであることを意味し、端末は、段階７２５に進行し、上記逆方向伝送資源割り当てメッセージに収納された情報によって新しいＭＡＣ ＰＤＵを構成し、チャネルコーディングしてＨＡＲＱバッファーに保存し、指示されたＲＶに該当する部分、例えばＲＶ０に該当する部分を伝送する。
ｉ．ＲＶが０ではなく、他の値なら、上記逆方向伝送資源割り当てメッセージは、新しいＭＡＣ ＰＤＵの適応的再伝送用であることを意味する。端末は、段階７２０に進行し、上記受信した逆方向伝送資源割り当てメッセージを無視し、データを伝送しない。
　上記（１）及び（２）によれば、発明の詳細な説明に発明として記載されたものは、従来技術に係る上記ｂの問題点を解決するために、次の（ｉ）及び（ｉｉ）によって、逆方向伝送資源割り当てメッセージが既存のＭＡＣ ＰＤＵの再伝送用であるか、新しいＭＡＣ ＰＤＵ伝送用であるかを判断するものといえる。
（ｉ）端末は、任意のＨＡＲＱプロセスに対する最初伝送が指示されれば、最後の再伝送可能時点を算出し、上記最後の再伝送可能時点が経過すれば、ＭＡＣ ＰＤＵ伝送が成功しなかったとしても、当該ＨＡＲＱバッファーに保存されているデータを廃棄すること、
（ｉｉ）端末は、逆方向伝送資源割り当てメッセージが既存のＭＡＣ ＰＤＵの再伝送用であるか、新しいＭＡＣ ＰＤＵ伝送用であるかを判断するために、ＨＡＲＱバッファーにデータが保存されているか否かを検査すること。
　さらに、ＮＤＩが指示する値によらず、上記（ｉ）及び（ｉｉ）によって判断する場合に生じる上記ｅの課題（端末が最初伝送のための逆方向伝送資源割り当てメッセージを遺失した場合の課題）を解決するために、
（ｉｉｉ）ＨＡＲＱバッファーが空いていたら、ＲＶを検査し、ＲＶが０の場合に、最初伝送のための伝送資源割り当てメッセージであると判断して新しいＭＡＣ ＰＤＵを伝送し、ＲＶが０でなかった場合に、上記逆方向伝送資源割り当てメッセージは、新しいＭＡＣ ＰＤＵの適応的再伝送用であることを意味すると判断し、上記受信した逆方向伝送資源割り当てメッセージを無視し、データを伝送しない。
２　本願発明と発明の詳細な説明に発明として記載されたものとの対比
　本願発明は、「前記アップリンク伝送資源割り当てメッセージによるＨＡＲＱプロセスのＨＡＲＱバッファーが空いている場合において、
ＲＶ（Ｒｅｄｕｎｄａｎｃｙ　Ｖｅｒｓｉｏｎ）が０の場合であったとしても
　しかし、発明の詳細な説明に発明として記載されたものでは、ＲＶを検査することを前提として、「ＲＶが０でなかった場合に、上記逆方向伝送資源割り当てメッセージは、新しいＭＡＣ ＰＤＵの適応的再伝送用であることを意味すると判断し、上記受信した逆方向伝送資源割り当てメッセージを無視し、データを伝送しない」（上記（ｉｉｉ））。また、発明の詳細な説明のその他の記載をみても、ＲＶを検査することを前提として、ＲＶが０でなかった場合に、「前記ＮＤＩと無関係に新規の伝送を実行」することは記載も示唆もなく、自明ともいえない。
　よって、本願発明の「前記アップリンク伝送資源割り当てメッセージによるＨＡＲＱプロセスのＨＡＲＱバッファーが空いている場合において、ＲＶ（Ｒｅｄｕｎｄａｎｃｙ　Ｖｅｒｓｉｏｎ）が０の場合であったとしても、前記ＮＤＩと無関係に新規の伝送を実行し、」は、発明の詳細な説明に記載したものとはいえない。
　仮に、本願発明が、「前記アップリンク伝送資源割り当てメッセージによるＨＡＲＱプロセスのＨＡＲＱバッファーが空いている場合において、
ＲＶ（Ｒｅｄｕｎｄａｎｃｙ　Ｖｅｒｓｉｏｎ）が０の場合に
３　小括
　上記１及び２のとおり、本願発明は、発明の詳細な説明に記載したものとはいえないから、本件出願は、特許法第３６条第６項第１号に規定する要件を満たしていない。
　
４　請求人の主張について
　請求人は、当審拒絶理由に対する応答期間内の平成３０年１１月２２日に、当審に電話連絡し、補正案による補正により拒絶理由が解消するか否かの確認を依頼した。これに対し、同年１１月２７日に、当審から、依然として拒絶の理由が解消していないとして、請求人代理人（復代理人）に補正を示唆し、同日、示唆した補正の内容が反映された再補正案（請求人未確認）を受領した。そして、同日、軽微な修正点を指摘しつつ当該再補正案について請求人に確認を求めた。しかし、その後回答はなく、同年１２月１０日に、上記示唆した補正の内容が反映された再補正案とは異なる補正事項を含む手続補正書及び意見書が提出された。
　そして、請求人は、当該意見書において、次のとおり主張している（[当審注]：下線部は請求人が付与。）。
「審判官殿は、アップリンク伝送資源割り当てメッセージに含まれたＲＶが０の場合と、０ではない場合との動作を、発明の必須構成要素としておられますが、本願の段落００２８および段落００２９の記載によれば、ＲＶは、新規の伝送又は再伝送のために、必ず考慮すべき必須構成要素ではございません。
　詳細には、段落００２８には「
また、端末は、任意のＨＡＲＱプロセスに対する逆方向伝送資源割り当てメッセージを受信した場合、当該ＨＡＲＱプロセスのバッファーにデータがなければ、
上記逆方向伝送資源割り当てメッセージを新しいＭＡＣ ＰＤＵ伝送を指示するものと判断する
　また、段落００３２には「
一般的に最初伝送は、ＲＶ０　８１５から始まり
　そこで、請求項１について、「
前記アップリンク伝送資源割り当てメッセージによる
空いている場合において、
０の場合であったとしても、前記ＮＤＩと無関係に新規の伝送を実行し、
　さらに、段落００２９には「
本発明において端末は、任意のプロセスに対する逆方向伝送資源割り当てメッセージを受信すれば、まず、上記プロセスのＨＡＲＱバッファーにデータが保存されているかを検査
上記バッファーにデータが保存されていたら、ＮＤＩを参照して新しいＭＡＣ ＰＤＵ伝送指示可否を判断
　そこで、上記段落００２９および本願の当初明細書の記載に基づいて、請求項１について、「前記ＨＡＲＱバッファーが空いておらず、かつ、前記ＮＤＩがトグルされていない場合、前記
アップリンク伝送資源割り当てメッセージによる
　そこで、上記請求人の主張について検討する。
　請求人は、「審判官殿は、アップリンク伝送資源割り当てメッセージに含まれたＲＶが０の場合と、０ではない場合との動作を、発明の必須構成要素としておられますが、本願の段落００２８および段落００２９の記載によれば、ＲＶは、新規の伝送又は再伝送のために、必ず考慮すべき必須構成要素ではございません。」と主張する。
　しかし、上記１のとおり、本願発明は、「前記アップリンク伝送資源割り当てメッセージによるＨＡＲＱプロセスのＨＡＲＱバッファーが空いている場合において、ＲＶ（Ｒｅｄｕｎｄａｎｃｙ　Ｖｅｒｓｉｏｎ）が０の場合であったとしても、前記ＮＤＩと無関係に新規の伝送を実行」することを含むものであるから、ＲＶを検査することを前提として、ＲＶが０でなかった場合に、「前記ＮＤＩと無関係に新規の伝送を実行」することを含むものと解される。
　よって、請求人の上記主張は、請求項１の記載に基づくものとはいえない。
　そして、上記１及び２のとおり、本願発明の「前記アップリンク伝送資源割り当てメッセージによるＨＡＲＱプロセスのＨＡＲＱバッファーが空いている場合において、ＲＶ（Ｒｅｄｕｎｄａｎｃｙ　Ｖｅｒｓｉｏｎ）が０の場合であったとしても、前記ＮＤＩと無関係に新規の伝送を実行」することは、発明の詳細な説明に記載したものとはいえない。
　また、請求人は、本願発明の「前記アップリンク伝送資源割り当てメッセージによるＨＡＲＱプロセスのＨＡＲＱバッファーが空いている場合において、ＲＶ（Ｒｅｄｕｎｄａｎｃｙ　Ｖｅｒｓｉｏｎ）が０の場合であったとしても、前記ＮＤＩと無関係に新規の伝送を実行し、」の根拠として、「逆方向伝送資源割り当てメッセージが上記ＨＡＲＱバッファーに保存されているデータが廃棄された後に初めて受信した逆方向伝送資源割り当てメッセージであれば、上記メッセージのＮＤＩが指示する値と関係なく、上記逆方向伝送資源割り当てメッセージを新しいＭＡＣ ＰＤＵ伝送を指示するものと判断」（段落【００２８】）し、段落【００３２】の記載に基づいて、「アップリンク新規伝送の場合であれば、逆方向伝送資源割り当てメッセージにあるＲＶ値を参考にせず、デフォルト（ｄｅｆａｕｌｔ）としてＲＶ＝０にｓｅｔ」することが開示されている旨も主張している。
　しかし、段落【００３２】は、段落【００３０】〜【００３２】、段落【００３４】及び図７に記載された一実施例（ＲＶを検査するもの）の説明の一部としてＲＶをさらに詳しく説明したものである（上記「第４」参照。）。そして、段落【００３２】の「一般的に最初伝送は、ＲＶ０　８１５から始まり、その後、伝送が進行されるほどＲＶ２　８２５、ＲＶ３　８３０、ＲＶ１　８２０が順に伝送される。５番目の伝送で、ＲＶは、さらにＲＶ０に戻る循環的な性格を有する。適応的再伝送が行われる場合、適応的再伝送を指示する逆方向伝送資源割り当てメッセージでＲＶが指定されることもできる。」の記載によれば、「逆方向伝送資源割り当てメッセージにあるＲＶ値」は、最初伝送ではＲＶ０であり、以降、再伝送が進行される度に、ＲＶ２、ＲＶ３、ＲＶ１となることは把握できるものの、「逆方向伝送資源割り当てメッセージにあるＲＶ値を参考にせず、デフォルト（ｄｅｆａｕｌｔ）としてＲＶ＝０にｓｅｔ」することについては、発明の詳細な説明には、記載も示唆もなく、自明ともいえない。
　よって、本願発明を「前記アップリンク伝送資源割り当てメッセージによるＨＡＲＱプロセスのＨＡＲＱバッファーが空いている場合において、（逆方向伝送資源割り当てメッセージにあるＲＶ値を参考にせず、デフォルト（ｄｅｆａｕｌｔ）としてＲＶ＝０にｓｅｔして、）ＲＶ（Ｒｅｄｕｎｄａｎｃｙ　Ｖｅｒｓｉｏｎ）が０の場合であったとしても、前記ＮＤＩと無関係に新規の伝送を実行」するものと解するとしても、そのような発明は、発明の詳細な説明には、記載も示唆もなく、自明ともいえない。
　以上より、請求人の上記主張は採用できない。
第５　むすび
　以上のとおり、本件出願は、特許法第３６条第６項第１号に規定する要件を満たしていないから、特許を受けることができない。
　したがって、本願の他の請求項について検討するまでもなく、本願は拒絶されるべきものである。
　よって、結論のとおり審決する。